(57)【特許請求の範囲】
【請求項１】
一端に毛糸針を取り付けた水糸上に、着色されたリリヤンの一定数量を一定の色彩順に二つ折りになるように掛け、しかる後、水糸の他端方向で水糸を細結びにする。次に水糸の一端に取り付けられている毛糸針を細結びの中心上側から下側へ貫通させ、異なる色彩のリリヤン間を抜き、さらに、細結びの中心上側から下側へ複数回同じように貫通させ、最後に水糸同士を結束し余分の水糸を切り落とす。次に細結びの中心上側から下側に貫通させ異なるリリヤン間を抜いた水糸を上方向に強く引き、その水糸に毛ピンを介在する。次に、この毛ピンに座金を介装し、各色彩のリリヤン頭部に装着し一体として結束する。次に毛ピンが介在している水糸に丸管をかすめ、しかる後にその毛ピンを抜き取る。この工程によって五色房を形成する方法。
【請求項２】
一端に毛糸針を取り付けた水糸上に、着色されたリリヤンの一定数量を一定の色彩順に二つ折りになるように掛け、しかる後、水糸の他端方向で水糸を細結びにする。次に水糸の一端に取り付けられている毛糸針を細結びの中心上側から下側へ貫通させ、異なる色彩のリリヤン間を抜き、さらに、細結びの中心上側から下側へ複数回同じように貫通させ、最後に水糸同士を結束し余分の水糸を切り落とす。次に細結びの中心上側から下側に貫通させ異なるリリヤン間を抜いた水糸を上方向に強く引き、その水糸に毛ピンを介在する。次に、この毛ピンに座金を介装し、各色彩のリリヤン頭部に装着し一体として結束する。次に毛ピンが介在している水糸に丸管をかすめ、しかる後にその毛ピンを抜き取る。この方法によって形成されることを特徴とする五色房。
【発明の詳細な説明】
【０００１】
【産業上の利用分野】
この発明は五色の房及びそれを形成する方法に関するものである。特にはお守りや縁起物、また飾り物に使用するための五色の房及びそれを形成する方法に関するものである。
【０００２】
【従前の技術】
従前五色の房を形成するには、まず着色された各々の色彩の糸を一定数量用いて一所を束ねて形成する方法とか、また一本の水糸に着色された房糸を係止して、その後、水糸を真結びにして形成する方法などが行われているものである。この他にも、着色された房用糸を適量ずつ並べて糸によって結束し上端部を飾り金具で拘束するという方法や、係止金具を用いて各々の係止部に着色された房糸を係止して五色の房を形成する方法など、様々な方法が行われていたし、現在も行われているものである。
【０００３】
【発明が解決しようとする課題】
従前の種々の技術を使用して五色の房を形成しても、どうしても一つの欠点が生じるものであった。それは五色の房用糸を五種類各々適量ずつ使用して五色の房を作る場合、各々の房用糸が他の房用糸と混乱して五色の房用糸が各々に入り乱れ全体で五色房を形成してしまい、各々着色された房用糸が各々一塊りとなり順序よく配列されて全体として一つの五色の房を形成することができないものであった。即ち、従前の技術では、一つの房を形成するのに、各々の着色された房用糸の各々の一塊りが順番配列され、各々の着色された房用糸が他の房用糸と入り乱れることなく常に同色の一塊りとして全体で一つの五色の房を形成することができないという欠点を有するものであった。
【０００４】
【課題を解決するための手段】
前記のような欠点を解決するためには、一端に毛糸針を取り付けた水糸上に、着色されたリリヤンの一定数量を一定の色彩順に二つ折りになるように掛け、しかる後、水糸の他端方向で水糸を細結びにする。次に水糸の一端に取り付けられている毛糸針を細結びの中心上側から下側へ貫通させ、異なる色彩のリリヤン間を抜き、さらに、細結びの中心上側から下側へ複数回同じように貫通させ、最後に水糸同士を結束し余分の水糸を切り落とす。次に細結びの中心上側から下側に貫通させ異なるリリヤン間を抜いた水糸を上方向に強く引き、その水糸に毛ピンを介在する。次に、この毛ピンに座金を介装し、各色彩のリリヤン頭部に装着し一体として結束する。次に毛ピンが介在している水糸に丸管をかすめ、しかる後にその毛ピンを抜き取る。この方法によって形成されることを特徴とする五色房及び五色房形成方法を用いることによって解決されるものである。
【０００５】
【作用】
この発明は、五色房において、各々着色されたリリヤンが各々入り乱れず常に同一の一塊りとして結束され、それらの着色されたリリヤンが配列通りに配置されて一つの五色房を形成するようにするものである。そのため各色のリリヤンの一定数量を一定の色彩順に並べ細結びにし、この細結びの中心上側から下側に毛糸針を通し色彩の異なるリリヤン間を抜いてさらに中心上側から下側に毛糸針を貫通させ、また色彩の異なるリリヤン間を抜くという動きをすることによって水糸がより結束されると同時に、各色のリリヤンが水糸上を他のリリヤン側に移動しないという作用を果たすものである。このような作用に、さらに座金が各色の二つ折りされたリリヤンの折れ部に装着され各々のリリヤンを結束するので、さらにリリヤンが自由に移動するのを止めるという作用を有するものである。この発明はこのような作用・機能を有するものである。
【０００６】
【実施例】
以下、この発明の実施例を図面に基づいて説明する。図１は、この発明の全体図であり、図２から図６まではこの発明の方法に関する図であり、図２は水糸へのリリヤンの係止状態を表示する全体図であり、図３は水糸を細結びにした状態の側面図であり、図４は水糸を上・下に刺し通した時点のリリヤンの平面図であり、図５は座金を毛ピンに貫装した状態の全体図であり、図６は丸管を水糸にかすめた状態の全体図である。
（イ）はこの発明に係る五色房本体である。この五色房本体（イ）は着色された複数色のリリヤン（２）とこれらリリヤン（２）を結束する水糸（１）と、またこれらのリリヤン（２）の頭部を結束する座金（３）と、さらにこの五色房本体（イ）を吊り下げるために設けられる丸管（４）とから構成されるものである。
【０００７】
（１）は水糸である。この水糸（１）にはリリヤンが二つ折りになるように掛けられるものである。複数色（５色）のリリヤンが一定数量で一定の色彩順に折り掛けられるもので、この折り掛けられたリリヤンを細結びで結束するものであると同時に、異色のリリヤン間を複数回抜くことによりリリヤンの移動を止めるものであり、しかる後、細結びが終わり水糸（１）同士が結束された後は余分の水糸（１）は切り落とされ、残った水糸（１）には座金が介装され、最後には丸管がかすめられるものである。この実施例では水糸は５号の大きさのものを使用しているものであるが、必ずしも５号である必要はなく適便のものを使用することができるものである。この水糸（１）の一端には毛糸針が取り付けられているものである。この毛糸針は後に取り除かれる。この毛糸針によって水糸（１）を上下に貫通させることができるものである。またリリヤンを結束するのに必ずしも水糸である必要はなく、他の糸、例えば合成繊維や人絹繊維糸などでもよいものである。
【０００８】
（２）はリリヤン又は糸である。以下同じ。リリヤン（２）は手芸用の糸である。このリリヤン（２）は各種の色彩に染められているものである。この発明の実施例では赤、紫（青）、緑、黄、白の五色に染められたリリヤン（２）を使用しているものである。しかし、必ずしもこの五色に限られるものではなく、他の色彩に染められたリリヤン（２）、例えば黒とか青とかに染められたリリヤン（２）などを使用することもできるものである。即ち、房本体（イ）において五色を形成するものであれば、その色彩は特に問題とはしないものである。この実施例では水糸（１）にリリヤン（２）を各々４本ずつ二つ折りになるように、例えば緑、黄、赤、白、紫の色彩順に配置し、水糸（１）で細結びされてなるものである。しかし、色彩の順は必ずしもこの順である必要はなく、また各リリヤン（２）の数量も必ずしも４本である必要はないものである。適便の量を適便の順に配置してもよいものである。これらのリリヤン（２）が水糸（１）に二つ折りになるよう掛けられた後、水糸（１）によって細結びに結束されるものである。
【０００９】
水糸（１）によってリリヤン（２）が細結びによって結束された後、水糸（１）の一端に取り付けられている毛糸針を細結びに結束されているリリヤン間の中心上側から下側へ貫通させ、しかる後、色彩の異なるリリヤン（２）間を抜き、またリリヤン間の中心上側から下側へ貫通させ、同様に色彩の異なるリリヤン（２）間を抜く。これを必要回数繰り返して行い、最後に水糸（１）同士を結束する。しかる後、余分の水糸（１）を取り除く。こうすることによって水糸（１）上に配置されたリリヤン（２）は各々の色彩のリリヤン（２）内に留まり、一つのリリヤンが他のリリヤンへ移動することがないものである。これによって各色のリリヤン（２）は水糸（１）上を移動することなく水糸（１）に結束されるものである。このように構成した後リリヤン間の中心部にある水糸（１）を上側方向に強く曳く。そしてその水糸（１）に毛ピン（５）を介在する。
【００１０】
（３）は座金である。この座金（３）は折曲自在のものである。手によって自由に折り曲げることができるものである。この座金（３）は各種各様にデザインされているもので適便の座金（３）を使用することができるものである。この実施例では五つの片を有する座金（３）を使用しているものである。この座金（３）を水糸（１）に介在させた毛ピン（５）に貫装させて、各リリヤン（２）間の頭部に装着し、しかる後に工具、あるいは手によってその座金（３）の片を折り曲げ、各リリヤン（２）の頭部側壁に接着固定されるものである。こうすることによって各リリヤン（２）は座金（３）によっても固定されることとなり容易に各リリヤン（２）が水糸（１）上を移動することはないのである。座金（３）はこの実施例で使用している他の適便の座金（３）を使用することもできるものである。
【００１１】
（４）は丸管である。この丸管（４）はごく普通の丸管（４）であって特殊、特別のものではない。この丸管（４）は金属製でも合成樹脂製でもよく適便のものを使用することができるものである。この丸管（４）を毛ピン（５）が介在している水糸（１）にかすめて装着する。しかる後に毛ピン（５）を水糸（１）から抜く。こうすることによって丸管（４）は水糸（１）に装着され、水糸（１）を上に引く機能を果たすと同時に、この五色房本体（イ）をいろいろの物品に付けることができるものである。またこの丸管（４）によって、水糸（１）が下側に引かれても丸管（４）が座金（３）と接して下側に落ちることもないものである。
【００１２】
この発明の五色房本体（イ）はこのように構成されるものであるが、その構成の方法は次のようなものである。
まず一端に毛糸針を取り付けた水糸（１）上に着色されたリリヤン（２）の一定数量を一定の色彩順に二つ折りになるように掛け、しかる後、水糸（１）の他端方向で水糸（１）を細結びにする。次に水糸（１）の一端に取り付けられている毛糸針を細結びの中心上側から下側へ貫通させ、異なる色彩のリリヤン（２）間を抜き、さらに、細結びの中心上側から下側へ複数回同じように貫通させ、最後に水糸（１）同士を結束し余分の水糸（１）を切り落とす。次に細結びの中心上側から下側に貫通させ異なるリリヤン（２）間を抜いた水糸（１）を上方向に強く引き、その水糸（１）に毛ピン（５）を介在する。次に、この毛ピン（５）に座金（３）を介装し、各色彩のリリヤン（２）頭部に装着し一体として結束する。次に毛ピン（５）が介在している水糸（１）に丸管（４）をかすめ、しかる後にその毛ピン（５）を水糸（１）から抜き取る。
このような方法によって本発明の五色房本体（イ）は構成されるものである。この発明の特徴はこの方法にあるものである。
【００１３】
【発明の効果】
この発明は水糸（１）によってリリヤン（２）が細結びで結束され、かつ水糸（１）が上側から下側に複数回貫通し、各色彩の異なるリリヤン間を抜かれるため、各リリヤン（２）が水糸（１）上を自由に動くことができず常に一定位置に固定される。このためリリヤン（２）間に混乱が生じることがない。また水糸（１）にしろ、リリヤン（２）にしろ、材料が安価に入手できるので経済的でもある。この発明はこのような効果を有するものである。
【図面の簡単な説明】
【図１】全体面
【図２】全体面
【図３】側面図
【図４】平面図
【図５】全体図
【図６】全体図
【符号の説明】
（イ）    五色房全体
（１）    水糸
（２）    リリヤン又は糸
（３）    座金
（４）    丸管
（５）    毛ピン
【図１】
0003541246.tif 000002
【図２】
0003541246.tif 000003
【図３】
0003541246.tif 000004
【図４】
0003541246.tif 000005
【図５】
0003541246.tif 000006
【図６】
0003541246.tif 000007